(57)【要約】【課題】外観上、配線が雑多になることがなく、外観上美しいまま設置できると共に配線の制約及び受信アンテナの位置による感度変化により、受信できない不具合がなく、設置場所が限られることがないようにすることを目的とする。【解決手段】薄型映像表示装置本体１を支持部材６を介して支持するようにした薄型映像表示装置であって、この支持部材６の内部に配した電力線１１ａ、１１ｂを通して電力を供給するようにすると共にこの電力線１１ａ、１１ｂ、２９を介して映像信号を供給するようにしたものである。【選択図】図７
2007279397.tif 000002
【特許請求の範囲】
【請求項１】
薄型映像表示装置本体を支持部材を介して支持するようにした薄型映像表示装置であって、
前記支持部材の内部に配した電力線を通して電力を供給するようにすると共に前記電力線を介して映像信号を供給するようにしたことを特徴とする薄型映像表示装置。
【請求項２】
請求項１記載の薄型映像表示装置において、
前記薄型映像表示装置本体を前記支持部材により天井あるいは壁に吊り下げるようにしたことを特徴とする薄型映像表示装置。
【請求項３】
薄型映像表示装置本体を支持部材を介して支持するようにした薄型映像表示装置であって、
前記支持部材の内部に配した電力線を通して電力を供給するようにすると共に映像信号を別体に設けた受信装置より無線通信で得るようにしたことを特徴とする薄型映像表示装置。
【請求項４】
請求項３記載の薄型映像表示装置において、
前記薄型映像表示装置本体を前記支持部材により天井あるいは壁に吊り下げるようにしたことを特徴とする薄型映像表示装置。
【請求項５】
請求項３又は４記載の薄型映像表示装置において、
無線アンテナを画像表示部外の枠に前記薄型映像表示装置本体と一体的に設けたことを特徴とする薄型映像表示装置。
【請求項６】
請求項３記載の薄型映像表示装置において、
無線アンテナを前記薄型映像表示装置本体を支える前記支持部材に一体的に設けたことを特徴とする薄型映像表示装置。
【発明の詳細な説明】
【技術分野】
【０００１】
本発明は、有機エレクトロルミネッセンスディスプレイパネル、液晶ディスプレイパネル等の薄型ディスプレイパネルを使用した比較的軽い薄型映像表示装置に関する。
【背景技術】
【０００２】
従来、特許文献１に平面型の表示装置を天井より吊り下げるようにしたものが開示されている。
【特許文献１】特開２００２−３２０３３号公報
【発明の開示】
【発明が解決しようとする課題】
【０００３】
ところで、従来、薄型映像表示装置を天井等より吊り下げ映像視聴するときには、映像信号を何等かのケーブル、もしくは受信アンテナと接続されたアンテナ線を、この吊り下げられた薄型映像表示装置に接続する必要があり、外観上、配線が雑多になり、美しくない上、設置場所も限られる不都合があった。
【０００４】
一方、吊り下げられた薄型映像表示装置に受信アンテナを直接内蔵した場合には、室内に設置されるという薄型映像表示装置の性質上、受信アンテナの位置による感度変化により、受信できない不具合が発生する場合があり、設置場所が限られる不都合があった。
【０００５】
本発明は、斯かる点に鑑み、外観上、配線が雑多になることがなく、外観上美しいまま設置できると共に配線の制約及び受信アンテナの位置による感度変化により、受信できない不具合がなく、設置場所が限られることがないようにすることを目的とする。
【課題を解決するための手段】
【０００６】
本発明薄型映像表示装置は、薄型映像表示装置本体を支持部材を介して支持するようにした薄型映像表示装置であって、この支持部材の内部に配した電力線を通して電力を供給するようにすると共にこの電力線を介して映像信号を供給するようにしたものである。
【０００７】
また、本発明薄型映像表示装置は、薄型映像表示装置本体を支持部材を介して支持するようにした薄型映像表示装置であって、この支持部材の内部に配した電力線を通して電力を供給するようにすると共に映像信号を別体に設けた受信装置より無線通信で得るようにしたものである。
【発明の効果】
【０００８】
本発明によれば、電力を支持部材の内部に配した電力線を通して供給すると共に映像信号をこの電力線又は無線通信で供給するようにしたので、外観上、配線が雑多になることがなく、外観上美しいまま設置できる。
【０００９】
また、本発明によれば、映像信号を電力線又は無線通信により、別体に設けた受信装置より供給するようにしているので、配線の制約がなく、また受信アンテナを感度良好な位置に置くことができ、受信できない不具合がなく、設置場所が限られることがない。
【発明を実施するための最良の形態】
【００１０】
以下、図１〜図７を参照して、本発明薄型映像表示装置を実施するための最良の形態の例につき説明する。
【００１１】
図１〜図７例は、薄型映像表示装置本体を支持部材により、天井に吊り下げるようにすると共にこの薄型映像表示装置本体にこの支持部材の内部に配した電力線を通して電力を供給するようにし、更にこの電力線を介して映像信号を供給するようにしたものである。
【００１２】
図１は、本例による薄型映像表示装置を示し、図１Ａは正面図、図１Ｂは背面図、図１Ｃは右側面図、図１Ｄは上面図である。図１において、１は、有機エレクトロルミネッセンスディスプレイパネル、液晶ディスプレイパネル等の比較的軽い薄型ディスプレイパネルを使用した比較的軽い薄型映像表示装置本体を示し、この薄型映像表示装置本体１の正面は、図１Ａに示す如く、画像表示部１ａと、この画像表示部１ａの周辺を囲む枠２とより成っている。
【００１３】
この薄型映像表示装置本体１の背面は、図１Ｂに示す如く、薄型映像表示装置本体１の背面中央部上部に映像を画像表示部１ａに表示するための図７に示す如き、後述する駆動表示回路を覆う駆動表示回路収納部３が設けられている。この駆動表示回路収納部３の上部には、図１Ｄに示す如く、駆動表示回路からの発熱を放熱するためのスリット状の放熱口４が設けられている。
【００１４】
本例においては、この薄型映像表示装置本体１の背面の駆動表示回路収納部３に、この薄型映像表示装置本体１を天井５あるいは壁に吊り下げる中空の支持部材６の他端を揺動機構７を介して取り付ける。
【００１５】
この中空の支持部材６は、剛体的に構成し、この支持部材６は、薄型映像表示装置本体１の重量により引っ張り応力を受け止め、この薄型映像表示装置本体１を決められた姿勢に保持できる如くする。
【００１６】
また、本例においては、この支持部材６の一端に図４に示す如く、家屋の天井５等に固定され、照明機器を吊り下げると共に電気的接続がなされる照明機器用の天井配線器具であるシーリングローゼット８に、機械的に固定すると共に電気的接続を行うプラグ９を設ける。
【００１７】
このプラグ９は、例えば図２に示す如く、２個のＬ字状金具より成る電極１０ａ及び１０ｂを所定間隔離して合成樹脂により、この支持部材６の一端に一体成形するようにしたものであり、この電極１０ａ及び１０ｂを、この中空の支持部材６の内部に配した電力線１１ａ及び１１ｂに接続するようにしたものである。
【００１８】
このプラグ９は、電極１０ａ及び１０ｂがシーリングクローゼット８に機械的に固定されたとき、薄型映像表示装置１及び支持部材６、更には電力線１１ａ、１１ｂの全荷重を電極１０ａ及び１０ｂが支えることが出来るように、プラグ本体９ａが電極１０ａ及び１０ｂ及び支持部材６を保持するように構成されている。
【００１９】
この支持部材６の図１ＡのIII−III線断面図は、図３に示す如く、中空の支持部材６の中空部に２本の電力線１１ａ及び１１ｂが配されたものである。この電力線１１ａ及び１１ｂは、薄型映像表示装置本体１の駆動表示回路収納部３まで導かれ、後述する駆動表示回路等に電力を供給する如くする。
【００２０】
この場合、このプラグ９は、このＬ字状金具より成る電極１０ａ及び１０ｂによりシーリングローゼット８に機械的に固定すると共にこのシーリングローゼット８の電源供給端子に電気的に接続される如くなす。
【００２１】
また、揺動機構７としては、例えば図５に示す如く、この支持部材６の他端に夫々左右に伸びる支軸６ａ、６ａを設けると共にこの支軸６ａ、６ａを薄型映像表示装置本体１の背面の駆動表示回路収納部３と一体に設けた軸受７ａ、７ａにより支持するようにする。
【００２２】
この場合、薄型映像表示装置本体１は、この揺動機構７により任意の角度で固定できるようにする。これにより薄型映像表示装置本体１は、図５Ａ、Ｂ、Ｃに示す如く、視聴の状態に合わせて、支持部材６に平行な垂直から水平までの角度まで変えることができ、所定角度の姿勢で、この薄型映像表示装置本体１を保持することができる如くする。
【００２３】
また、この場合、支持部材６の長さを揺動機構７部から薄型映像表示装置本体１の上端までの長さより長くすることにより、プラグ９を取り付けるシーリングローゼット８の設置の自由度を増すことができる。
【００２４】
また、この揺動機構７部をこの薄型映像表示装置本体１の駆動表示回路収納部３の背面の上下の中心から上端までの位置で、なお且つ左右の略中央に設けることにより、支点が薄型映像表示装置本体１の重心に近づくために、薄型映像表示装置本体１の角度を図５Ａ、Ｂ、Ｃに示す如くしても、この支持部材６に対しては、曲げの応力が加わらず、引っ張りの応力となり、プラグ９及びこのプラグ９が取り付くシーリングローゼット８に対しても、こじる力が発生せずに、強度を保つことができる。
【００２５】
また、本例においては、この薄型映像表示装置本体１に映像信号を図６、図７に示す如く、電力線２９を用いた電力線搬送通信（ＰＬＣ＝Power Line Communication）により送信する如くする。
【００２６】
図６及び図７において、２０は薄型映像表示装置本体１とは、別体に設けた受信装置の例を示し、図７において、２１はこの薄型映像表示装置本体１内に設けた駆動表示回路の例を示す。
【００２７】
この本例の受信装置２０には、図６に示す如く、受信アンテナ２２よりの受信信号が供給される受信信号入力端子２０ａ、外部よりの映像信号が供給される外部信号入力端子２０ｂ及び電源コード２３を介し、家庭用コンセント２４に接続される電源入力端子２０ｃを設ける。
【００２８】
この受信装置２０においては、図７に示す如く、受信アンテナ２２で受信した受信信号をチューナー２５で復調し、この復調した映像信号を所定の変調器２６に供給する。また、外部信号入力端子２０ｂよりの映像信号をこの変調器２６に供給する如くする。
【００２９】
この変調器２６で変調した映像信号を重畳回路２７に供給し、電力線を通信回線として利用する技術、所謂電力線搬送通信の技術を用いて、電源入力端子２０ｃより、電力線２９に乗せる如くする。本例によれば、変調器２６で変調された映像信号は、重畳回路２７を介して電源入力端子２０ｃから電源コード２３を経由し、家庭用コンセント２４から家庭内の電力線２９に乗せられ、照明機器用のシーリングローゼット８、プラグ９、電極１０ａ、１０ｂ及び電力線１１ａ、１１ｂを通して薄型映像表示装置本体１の駆動表示回路２１の分離回路４４を介して復調器３０まで伝送される。この場合、電源入力端子２０ｃよりの商用電源を重畳回路２７を介して受信装置２０の電源回路２８に供給すると共に分離回路４４に得られる商用電源を薄型映像表示装置本体１の電源回路４５に供給する。
【００３０】
このとき、使用されるプロトコルとしては、デジタルの伝送で考えた場合には、例えばインターネットで用いられるＴＣＰ／ＩＰが使用できる。
【００３１】
本例のこの駆動表示回路２１は、図７に示す如くで、この駆動表示回路２１まで、導かれた変調された映像信号は、復調器３０にて復調され、イーサネット（Ｅｔｈｅｒｎｅｔ）（登録商標）Ｉ／Ｆ３１経由で内部バス３２へと導かれる。
【００３２】
この内部バス３２よりの映像信号をＭＰＥＧデコーダ３３を介して、映像信号処理回路３４に供給する。この映像信号処理回路３４で種々の信号処理を行った後に、この映像信号をグラフィック生成合成回路３５に供給する。
【００３３】
このグラフィック生成合成回路３５は、ＣＰＵ３６の指令に従って、この薄型映像表示装置の操作で必要なグラフィック画面を生成し、映像信号に重畳したり、映像信号と差し替えてパネル駆動回路３７に供給する。このパネル駆動回路３７は、映像信号を薄型映像表示装置本体１の映像表示部１ａに必要な信号に変換して、この映像表示部１ａに供給し、画像表示を行う。
【００３４】
また、ＭＰＥＧデコーダ３３よりの音声信号を音声信号処理回路３８に供給すると共に内部バス３２よりの音声信号を音声デコーダ３９を介して音声信号処理回路３８に供給する。この音声信号処理回路３８で種々の信号処理を行った後に、この音声信号を音声増幅回路４０を介してスピーカ４１に供給し、放音する如くする。
【００３５】
また、ＣＰＵ３６は、この薄型映像表示装置の制御を司り、このＣＰＵ３６の制御に必要なソフトウェアをＲＯＭ４２に記憶しておき、ＣＰＵ３６がこのソフトウェアを実行するためのＲＡＭ４３が設けられ、これ等ＣＰＵ３６、ＲＯＭ４２及びＲＡＭ４３は、内部バス３２を介して互いに接続されている。
【００３６】
本例は上述の如く、薄型映像表示装置本体１に電力を支持部材６の内部に配した電力線１１ａ、１１ｂを通して供給すると共に映像信号を電力線２９を介して電力線搬送通信により供給するようにしたので、外観上、配線が雑多になることがなく、外観上美しいまま設置できる。
【００３７】
また、本例によれば、この薄型映像表示装置本体１に映像信号を電力線１１ａ、１１ｂ、２９により、この薄型映像表示装置本体１とは別体に設けた受信装置２０より供給するようにしているので、配線の制約がなく、また受信アンテナ２２を感度良好な位置に置くことができ、受信できない不具合がなく、この薄型映像表示装置本体１の設置場所が限られることがない。
【００３８】
また、図８〜図１０を参照して、本発明薄型映像表示装置を実施するための最良の形態の他の例につき説明する。
【００３９】
この図８〜図１０例は、薄型映像表示装置本体を支持部材により、天井に吊り下げるようにすると共にこの薄型映像表示装置本体にこの支持部材の内部に配した電力線を通して電力を供給するようにし、更に映像信号を別体に設けた受信装置より無線通信で得るようにしたものである。
【００４０】
この図８〜図１０例につき説明するに、図１〜図７に対応する部分には同一符号を付し、その詳細説明は省略する。
【００４１】
この図８〜図１０例においては、薄型映像表示装置本体１を天井５に吊り下げる構成について、図１〜図５と同様に構成したものであり、この図８〜図１０例においては、図８に示す如く、後述の受信装置５０よりの映像信号を無線通信により受信する無線アンテナ１５ａ及び１５ｂを薄型映像表示装置本体１の枠２の左右両側に垂直に設ける、もしくは、更に、支持部材６に沿って無線アンテナ１５ｃを設ける。
【００４２】
この場合、外形に考慮し、この無線アンテナ１５ａ、１５ｂ、１５ｃが薄型映像表示装置本体１、支持部材６より、飛び出ることがないように一体的に設け、デザイン面で煩雑と成ることが無く外観上美しいまま設置できるように設ける。
【００４３】
この無線通信の種類は、例えば、ＩＥＥＥ802.11系で高速な通信が可能な802.11ｎ等を使用し、無線アンテナ１５ａ、１５ｂ、１５ｃは、ＭＩＭＯ(Multiple-Input Multiple-Output)対応のものとする。
【００４４】
この場合、無線アンテナ１５ａ、１５ｂが薄型映像表示装置本体１の外周部の枠２に設けられており、良好な受信状態が得られると共にＭＩＭＯ受信するために、離れて設置することができ、良好な受信状態が得られる。
【００４５】
また、支持部材６に沿って無線アンテナ１５ｃを設ける場合には、この無線アンテナ１５ｃが薄型映像表示装置本体１から離れて設置されているために、良好な受信状態が得られる。
【００４６】
また、この図８〜図１０例においては、この薄型映像表示装置本体１に映像信号を、図９及び図１０に示す如く、別体に設けた受信装置５０より無線通信で得るようにする。
【００４７】
図９及び図１０において、５０は薄型映像表示装置本体１とは、別体に設けた受信装置の例を示し、図１０において、５１はこの薄型映像表示装置本体１内に設けた駆動表示回路の例を示す。
【００４８】
本例の受信装置５０には、例えばデジタル放送受信用アンテナ５２よりの受信信号が供給される受信信号入力端子５０ａ、外部よりの映像信号が供給されるネットワーク端子５０ｂ及び無線出力用アンテナ５３が接続されるアンテナ端子５０ｃを設ける。
【００４９】
この受信装置５０においては、デジタル放送受信用アンテナ５２で受信した受信信号を、デジタル復調用チューナー５４に供給し、このデジタル復調用チューナー５４にて受信信号をＭＰＥＧ−ＴＳストリームに変換し、このＭＰＥＧ−ＴＳストリームをＭＰＥＧデコーダ５５に供給し、このＭＰＥＧデコーダ５５に得られる映像信号を映像信号処理回路５６に供給する。
【００５０】
この映像信号処理回路５６で種々の信号処理を行った後に、この映像信号をグラフィック生成合成回路５７に供給する。このグラフィック生成合成回路５７は、ＣＰＵ５８の指令に従って、この薄型映像表示装置の操作で必要なグラフィック画面を生成し、映像信号に重畳したり、映像信号と差し替えて、画像圧縮回路５９に供給する。
【００５１】
この画像圧縮回路５９で、送信可能な帯域に適切なＣＯＤＥＣをもって圧縮し、この圧縮された映像信号を多重化／変調回路６０に供給する。
【００５２】
また、ＭＰＥＧデコーダ５５よりの音声信号を音声信号処理回路６１に供給すると共に内部バス６２よりの音声信号を音声デコーダ６３を介して音声信号処理回路６１に供給する。この音声信号処理回路６１で種々の信号処理を行った後に、この音声信号を多重化／変調回路６０に供給する。
【００５３】
この多重化／変調回路６０で圧縮された映像信号とこの音声信号とを合成、変調し、無線出力用アンテナ５３に供給し、無線で送信する如くする。
【００５４】
また、ＣＰＵ５８は、この薄型映像表示装置の制御を司り、このＣＰＵ５８の制御に必要なソフトウェアをＲＯＭ６４に記憶しておき、ＣＰＵ５８がこのソフトウェアを実行するためのＲＡＭ６５が設けられ、これ等ＣＰＵ５８、ＲＯＭ６４及びＲＡＭ６５は、内部バス６２を介して互いに接続されている。
【００５５】
ネットワーク端子５０ｂよりの外部信号をイーサネットＩ／Ｆ６６を介して内部バス６２に供給する如くする。また、図１０において、６７はリモートコマンダを示し、このリモートコマンダ６７よりのリモコン信号をリモコン受光部６８に供給し、このリモコン受光部６８よりのリモコン信号をＣＰＵ５８に供給する如くし、この受信装置５０をリモートコマンダ６７でリモートコントロールする如くする。
【００５６】
本例の薄型映像表示装置本体１内に設けられる駆動表示回路５１は、図１０に示す如くで、無線出力用アンテナ５３より送信された送信信号を無線アンテナ１５ａ、１５ｂ、１５ｃで受信し、この無線アンテナ１５ａ、１５ｂ、１５ｃで受信した受信信号を復調／分離回路７０に供給する。
【００５７】
この復調／分離回路７０において、この受信信号が復調され、映像信号と音声信号とに分離される。この復調／分離回路７０に得られる映像信号をパネル駆動回路７１に供給する。このパネル駆動回路７１は、映像信号を薄型映像表示装置本体１の映像表示部１ａに必要な信号に変換して、この映像表示部１ａに供給し、画像表示を行う。
【００５８】
この復調／分離回路７０に得られる音声信号を音声増幅回路７２を介してスピーカ７３に供給し、放音する如くする。
【００５９】
本例は上述の如く、薄型映像表示装置本体１に電力を支持部材６の内部に配した電力線１１ａ、１１ｂを通して供給すると共に映像信号を無線通信で供給するようにしたので、外観上、配線が雑多になることがなく、外観上美しいまま設置できる。
【００６０】
また、本例によれば、この薄型映像表示装置本体１に映像信号を無線通信により、この薄型映像表示装置本体１とは別体に設けた受信装置５０より供給するようにしているので、配線の制約がなく、またデジタル放送受信用アンテナ５２、無線出力用アンテナ５３、無線アンテナ１５ａ、１５ｂ、１５ｃを感度良好な位置に置くことができ、受信できない不具合がなく、この薄型映像表示装置本体１の設置場所が限られることがない。
【００６１】
尚、上述例においては、支持部材６の一端に設けたプラグ９を天井５に設置されたシーリングローゼット８に機械的に固定すると共に電気的に接続するように述べたが、このプラグ９を照明用の配線ダクトレール１２に直接もしくは組み合わされるアダプタ１３経由で取り付けるようにしても良い。
【００６２】
例えば図１１Ａに示す如く、天井５のシーリングローゼット８から吊り下げられた照明用の配線ダクトレール１２に直接この支持部材６の一端に設けたプラグ９を機械的に固定すると共に電気的に接続する。この場合、図１１Ｂに示す如くこのプラグ９を組み合わされるアダプタ１３を経由でこの照明用の配線ダクトレール１２に機械的に固定すると共に電気的に接続するようにしても良い。この図１１Ｂにおいて、照明機器１４は、この照明用の配線ダクトレール１２に機械的に固定すると共に電気的に接続されている。
【００６３】
また、図１２例に示す如く、天井部斜面５ａに、照明用の配線ダクトレール１２を固定し、この配線ダクトレール１２に支持部材６の一端に設けたプラグ９を機械的に固定すると共に電気的に接続するようにしても良い。
【００６４】
また、更に図１３例に示す如く、垂直な壁面５ｂに、照明用の配線ダクトレール１２を固定し、この配線ダクトレール１２に支持部材６の一端に設けたプラグ９を機械的に固定すると共に電気的に接続するようにしても良い。
【００６５】
また、支持部材６は、その長さ、強度、薄型映像表示装置本体１の重量及び配線ダクトレール１２にもよるが、必ずしも鉛直である必要がない（図１２、図１３例参照）。
【００６６】
また、図１３に示す如く、壁面５ｂの照明用の配線ダクトレール１２に薄型映像表示装置本体１を取り付ける場合には、この薄型映像表示装置本体１の下端をこの壁面５ｂにて保持する角度に揺動機構７を調整することにより、この配線ダクトレール１２に加わる力を軽減することができる。
【００６７】
また、上述例では、揺動機構７を一軸６ａ、６ａの周りに揺動する例につき述べたが、更に、この支持部材６に垂直方向にも可動としたり、所謂ユニバーサルジョイントとするようにしても良い。
【００６８】
また、上述例では、薄型映像表示装置本体１を支持部材６により天井５あるいは壁５ｂに吊り下げる如く述べたが、例えば図１４に示す如く、この薄型映像表示装置本体１を支持部材６によりスタンド型に支持するようにしても良い。この図１４例においては、その他は図１〜図７例又は図８〜図１０例と同様に構成する。この図１４例においても、図１〜図７例又は図８〜図１０例と同様の作用効果が得られることは容易に理解できよう。
【００６９】
また、本発明は上述例に限ることなく、本発明の要旨を逸脱することなく、その他種々の構成が採り得ることは勿論である。
【図面の簡単な説明】
【００７０】
【図１】本発明薄型映像表示装置を実施するための最良の形態の例を示し、図１Ａは正面図、図１Ｂは背面図、図１Ｃは右側面図、図１Ｄは上面図である。
【図２】本発明の要部の例を示す切り欠き断面図である。
【図３】図１ＡのIII−III線断面図である。
【図４】本発明薄型映像表示装置を天井に吊り下げた例を示す正面図である。
【図５】本発明薄型映像表示装置を天井に吊り下げた例を示す側面図である。
【図６】受信装置の例を示す構成図である。
【図７】本発明薄型映像表示装置を実施するための最良の形態の例を示すブロック図である。
【図８】本発明薄型映像表示装置を実施するための最良の形態の他の例を示し、図１Ａは正面図、図１Ｂは背面図、図１Ｃは右側面図、図１Ｄは上面図である。
【図９】受信装置の他の例を示す構成図である。
【図１０】本発明薄型映像表示装置を実施するための最良の形態の他の例を示すブロック図である。
【図１１】本発明薄型映像表示装置を実施するための最良の形態の他の例を示し、図６Ａは側面図、図６Ｂは斜視図である。
【図１２】本発明薄型映像表示装置を実施するための最良の形態の他の例を示す斜視図である。
【図１３】本発明薄型映像表示装置を実施するための最良の形態の他の例を示す斜視図である。
【図１４】本発明薄型映像表示装置を実施するための最良の形態の他の例を示す斜視図である。
【符号の説明】
【００７１】
１…薄型映像表示装置本体、１ａ…画像表示部、２…枠、３…駆動表示回路収納部、４…放熱口、５…天井、６…支持部材、７…揺動機構、８…シーリングローゼット、９…プラグ、１０ａ、１０ｂ…電極、１１ａ、１１ｂ、２９…電力線、１２…配線ダクトレール、１３…アダプタ、１４…照明機器、１５ａ、１５ｂ、１５ｃ…無線アンテナ、２０、５０…受信装置、２１、５１…駆動表示回路
【図１】
2007279397.tif 000003
【図２】
2007279397.tif 000004
【図３】
2007279397.tif 000005
【図４】
2007279397.tif 000006
【図５】
2007279397.tif 000007
【図６】
2007279397.tif 000008
【図７】
2007279397.tif 000009
【図８】
2007279397.tif 000010
【図９】
2007279397.tif 000011
【図１０】
2007279397.tif 000012
【図１１】
2007279397.tif 000013
【図１２】
2007279397.tif 000014
【図１３】
2007279397.tif 000015
【図１４】
2007279397.tif 000016
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
薄型映像表示装置本体と、
一端側に揺動機構部を介して前記薄型映像表示装置本体を保持し、他端側に天井又は壁に取り付けられた照明器具用配線器具に係合するプラグ部を有する中空の支持部材と、
前記中空の支持部材に挿通され、前記プラグ部と前記薄型映像表示装置本体部とを接続する電力線と
を有し、
前記プラグ部を前記照明器具用配線器具に係合させると、前記電力線を通して供給された電力を受電すると共に前記電力線を介して供給された変調された映像信号を受信し、前記変調された映像信号に基づく映像を前記薄型映像表示装置本体に表示すること
を特徴とする薄型映像表示装置。
【請求項２】
請求項１記載の薄型映像表示装置において、
前記支持部材は、前記揺動機構部を介して前記薄型映像表示装置本体の背面側の略重心位置を保持するようにしたこと
を特徴とする薄型映像表示装置。
【請求項３】
請求項２記載の薄型映像表示装置において、
前記支持部材の長さは、前記薄型映像表示装置本体の上端から前記重心位置までの長さより長くし、前記揺動機構部は、前記薄型映像表示装置本体の保持角度を垂直位置から水平位置まで可変とする構造としたこと
を特徴とする薄型映像表示装置。
【請求項４】
請求項１記載の薄型映像表示装置において、
前記薄型映像表示装置本体は、前記映像を表示する画像表示部と、該画像表示部の周囲を囲む枠部と、前記電力および前記変調された映像信号を処理して前記画像表示部に前記映像を表示する駆動表示回路部と、該駆動表示回路部を装置本体の背面側より覆う駆動表示回路部収納部とを有し、
前記駆動表示回路部収納部は、装置本体の背面の左右方向の中央部で上下方向の上方側に配され、上端面に放熱用のスリットを設けたこと
を特徴とする薄型映像表示装置。
【請求項５】
請求項１記載の薄型映像表示装置において、
前記薄型映像表示装置本体は、前記電力および前記映像信号を処理して前記映像を表示する駆動表示回路部を有し、
前記駆動表示回路部は、
前記電力線に接続され前記電力と前記変調された映像信号とを分離する分離回路部と、
前記分離された電力から前記駆動表示回路部の所定回路に供給される電源を生成する電源回路部と、
前記分離された変調された映像信号から前記薄型映像表示装置本体に前記映像を表示するための処理を行う映像処理ブロックと
を含むこと
を特徴とする薄型映像表示装置。
【請求項６】
別体に設けた受信装置より無線送信される、変調された映像信号を受信するようになされた薄型映像表示装置本体と、
一端側に揺動機構部を介して前記薄型映像表示装置本体を保持し、他端側に天井又は壁に取り付けられた照明器具用配線器具に係合するプラグ部を有する中空の支持部材と、
前記中空の支持部材に挿通され、前記プラグ部と前記薄型映像表示装置本体部とを接続する電力線と
を有し、
前記薄型映像表示装置本体部は、
前記プラグ部を前記照明器具用配線器具に係合させると、前記電力線を通して供給された電力を受電すると共に前記変調された映像信号を受信し、前記変調された映像信号に基づく映像を前記薄型映像表示装置本体に表示すること
を特徴とする薄型映像表示装置。
【請求項７】
請求項６記載の薄型映像表示装置において、
前記支持部材は、前記揺動機構部を介して前記薄型映像表示装置本体の背面側の略重心位置を保持するようにしたこと
を特徴とする薄型映像表示装置。
【請求項８】
請求項７記載の薄型映像表示装置において、
前記支持部材の長さは、前記薄型映像表示装置本体の上端から前記重心位置までの長さより長くし、前記揺動機構部は、前記薄型映像表示装置本体の保持角度を垂直位置から水平位置まで可変とする構造としたこと
を特徴とする薄型映像表示装置。
【請求項９】
請求項６記載の薄型映像表示装置において、
前記薄型映像表示装置本体は、前記映像を表示する画像表示部と、該画像表示部の周囲を囲む枠部と、前記電力および前記変調された映像信号を処理して前記画像表示部に前記映像を表示する駆動表示回路部と、該駆動表示回路部を装置本体の背面側より覆う駆動表示回路部収納部とを有し、
前記駆動表示回路部収納部は、装置本体の背面の左右方向の中央部で上下方向の上方側に配され、上端面に放熱用のスリットを設けたこと
を特徴とする薄型映像表示装置。
【請求項１０】
請求項６記載の薄型映像表示装置において、
無線アンテナを画像表示部外の枠に前記薄型映像表示装置本体と一体的に設けたこと
を特徴とする薄型映像表示装置。
【請求項１１】
請求項６記載の薄型映像表示装置において、
無線アンテナを前記支持部材に一体的に設けたこと
を特徴とする薄型映像表示装置。
【手続補正２】
【補正対象書類名】明細書
【補正対象項目名】０００６
【補正方法】変更
【補正の内容】
【０００６】
本発明薄型映像表示装置は、薄型映像表示装置本体と、一端側に揺動機構部を介してこの薄型映像表示装置本体を保持し、他端側に天井又は壁に取り付けられた照明器具用配線器具に係合するプラグ部を有する中空の支持部材と、この中空の支持部材に挿通され、このプラグ部とこの薄型映像表示装置本体部とを接続する電力線とを有し、このプラグ部をこの照明器具用配線器具に係合させると、この電力線を通して供給された電力を受電すると共にこの電力線を介して供給された変調された映像信号を受信し、この変調された映像信号に基づく映像をこの薄型映像表示装置本体に表示するようにしたものである。
【手続補正３】
【補正対象書類名】明細書
【補正対象項目名】０００７
【補正方法】変更
【補正の内容】
【０００７】
また、本発明薄型映像表示装置は、別体に設けた受信装置より無線送信される、変調された映像信号を受信するようになされた薄型映像表示装置本体と、一端側に揺動機構部を介してこの薄型映像表示装置本体を保持し、他端側に天井又は壁に取り付けられた照明器具用配線器具に係合するプラグ部を有する中空の支持部材と、この中空の支持部材に挿通され、このプラグ部とこの薄型映像表示装置本体部とを接続する電力線とを有し、この薄型映像表示装置本体部は、このプラグ部をこの照明器具用配線器具に係合させると、この電力線を通して供給された電力を受電すると共にこの変調された映像信号を受信し、この変調された映像信号に基づく映像をこの薄型映像表示装置本体に表示するようにしたものである。
【手続補正４】
【補正対象書類名】明細書
【補正対象項目名】００１５
【補正方法】変更
【補正の内容】
【００１５】
この中空の支持部材６は、剛体的に構成し、この支持部材６は、薄型映像表示装置本体１の重量による引っ張り応力を受け止め、この薄型映像表示装置本体１を決められた姿勢に保持できる如くする。
【手続補正５】
【補正対象書類名】明細書
【補正対象項目名】００２１
【補正方法】変更
【補正の内容】
【００２１】
また、揺動機構７としては、例えば図５に示す如く、この支持部材６の他端に夫々左右に伸びる支軸６ａを設けると共にこの支軸６ａを薄型映像表示装置本体１の背面の駆動表示回路収納部３と一体に設けた軸受７ａにより支持するようにする。
【手続補正６】
【補正対象書類名】明細書
【補正対象項目名】００６７
【補正方法】変更
【補正の内容】
【００６７】
また、上述例では、揺動機構７を一軸６ａの周りに揺動する例につき述べたが、更に、この支持部材６に垂直方向にも可動としたり、所謂ユニバーサルジョイントとするようにしても良い。
【手続補正７】
【補正対象書類名】明細書
【補正対象項目名】００７０
【補正方法】変更
【補正の内容】
【００７０】
【図１】本発明薄型映像表示装置を実施するための最良の形態の例を示し、図１Ａは正面図、図１Ｂは背面図、図１Ｃは右側面図、図１Ｄは上面図である。
【図２】本発明の要部の例を示す切り欠き断面図である。
【図３】図１ＡのＩＩＩ−ＩＩＩ線断面図である。
【図４】本発明薄型映像表示装置を天井に吊り下げた例を示す正面図である。
【図５】本発明薄型映像表示装置を天井に吊り下げた例を示す側面図である。
【図６】受信装置の例を示す構成図である。
【図７】本発明薄型映像表示装置を実施するための最良の形態の例を示すブロック図である。
【図８】本発明薄型映像表示装置を実施するための最良の形態の他の例を示し、図１Ａは正面図、図１Ｂは背面図、図１Ｃは右側面図、図１Ｄは上面図である。
【図９】受信装置の他の例を示す構成図である。
【図１０】本発明薄型映像表示装置を実施するための最良の形態の他の例を示すブロック図である。
【図１１】本発明薄型映像表示装置を実施するための最良の形態の他の例を示し、図１１Ａは側面図、図１１Ｂは斜視図である。
【図１２】本発明薄型映像表示装置を実施するための最良の形態の他の例を示す斜視図である。
【図１３】本発明薄型映像表示装置を実施するための最良の形態の他の例を示す斜視図である。
【図１４】本発明薄型映像表示装置を実施するための最良の形態の他の例を示す斜視図である。